(57)【要約】  本発明は、電気ケーブルを整理するように適合される筐体であって、実質的に平らな表面上で筐体を支持するための基部（２）と、後パネル（１）と、上パネル（５）と、対向して配置される側パネルと（４，１２）、前パネル（３）とを備え、後、上、前および側パネルは筐体の内部を囲むように配置され、筐体はさらに電源手段（７）を備え、前パネルは筐体の内部へのアクセスを許す開口を含み、開口は、開口を閉じるように適合されるドア（８、１３）を含み、上および側パネルの各々は、電気ケーブルが通り得る複数の開口（６）を含む平らな表面を含み、電源手段は、１本の電力ケーブル（９）のみが筐体の外へ通って、通電コンセントに差し込まれる必要があるように適合される、筐体を提供する。本発明の筐体を備える机（１１）も提供される。
2007523474.tif 000002
【特許請求の範囲】
【請求項１】
電気ケーブルを整理するように適合される筐体であって、
実質的に平らな表面上で前記筐体を支持するための基部（２）と、
後パネル（１）と、
上パネル（５）と、
対向して配置される側パネル（４，１２）と、
前パネル（３）とを備え、
前記後、上、前および側パネルは前記筐体の内部を囲むように配置され、さらに
前記内部に位置する電源手段（７）を備え、
前記前パネルは、前記筐体の前記内部へのアクセスを許すように開くドア（８、１３）を含み、
前記上および側パネルの各々は、電気ケーブルが通り得る１つまたは複数の開口（６）を含む平らな表面を含み、
前記電源手段は、１本の電力ケーブル（９）のみが筐体の外へ通って、通電コンセントに差し込まれる必要があるように適合されることを特徴とする、筐体。
【請求項２】
前記ドアは、一方の側でヒンジ接続される少なくとも１つのパネル（８、１３）を含むことを特徴とする、請求項１に記載の筐体。
【請求項３】
前記ドアは、開いたまたは閉じた位置では前記前パネルと平行に摺動するように適合される少なくとも１つのパネル（８、１３）を含むことを特徴とする、請求項１に記載の筐体。
【請求項４】
前記複数の開口（６）は、前記複数の開口の各々を選択的に開閉する閉止手段（１５，１６）をさらに含むことを特徴とする、請求項１から３のいずれかに記載の筐体。
【請求項５】
前記開口の各々は、形状が円形、方形、楕円形、スロット状、または矩形であることを特徴とする、請求項１から４のいずれかに記載の筐体。
【請求項６】
前記電源手段（７）は、電力ケーブルの雄側端プラグを受けるように適合される少なくとも２つのポートを含むことを特徴とする、請求項１から５のいずれかに記載の筐体。
【請求項７】
前記筐体は、意図される使用環境で既に存在する家具を構成するのに用いられる材料と同様の材料から構成されることを特徴とする、請求項１から６のいずれかに記載の筐体。
【請求項８】
前記材料は、金属、木材、模造木材、合板、およびプラスチックのうち１つまたはそれ以上であることを特徴とする、請求項７に記載の筐体。
【請求項９】
前記ケーブルは、コンピュータシステムまたは家庭用娯楽システムと関連付けられることを特徴とする、請求項１から８のいずれかに記載の筐体。
【請求項１０】
電気ケーブルを整理するように適合される筐体を備える机（１１）であって、
実質的に平らな表面上で前記筐体を支持するための基部（２）と、
後パネル（１）と、
上パネル（５）と、
対向して配置される側パネル（４，１２）と、
前パネル（３）とを備え、
前記後、上、前および側パネルは前記筐体の内部を囲むように配置され、さらに
電源手段（７）を備え、
前記前パネルは、前記筐体の前記内部へのアクセスを許す開口を含み、前記開口は、前記開口を閉じるように適合されるドア（８、１３）を含み、
前記上および側パネルの各々は、電気ケーブルが通り得る複数の開口（６）を含む平らな表面を含み、
前記電源手段は、１本の電力ケーブル（９）のみが筐体の外へ通って、通電コンセントに差し込まれる必要があるように適合されることを特徴とする、机。
【請求項１１】
前記ドアは、一方の側でヒンジ接続される少なくとも１つのパネル（８、１３）を含むことを特徴とする、請求項１０に記載の机。
【請求項１２】
前記ドアは、開いたまたは閉じた位置では前記前パネルと平行に摺動するように適合される少なくとも１つのパネル（８、１３）を含むことを特徴とする、請求項１０に記載の机。
【請求項１３】
前記複数の開口（６）は、前記複数の開口の各々を選択的に開閉する閉止手段（１５，１６）をさらに含むことを特徴とする、請求項１０から１２のいずれかに記載の机。
【請求項１４】
前記複数の開口の各々は、形状が円形であることを特徴とする、請求項１０から１３のいずれかに記載の机。
【請求項１５】
前記電源手段（７）は、電力ケーブルの雄側端プラグを受けるように適合される少なくとも２つのポートを含むことを特徴とする、請求項１０から１４のいずれかに記載の机。
【発明の詳細な説明】
【技術分野】
【０００１】
発明の分野
本発明は、コンピュータケーブルなどを整理するための装置に関し、より特定的には、内蔵型電源を含み、かつ既存の事務用什器の一部として形成され得る、ケーブル引き回しおよび収納用筐体に関する。
【背景技術】
【０００２】
発明の背景
実際に、コンピュータシステムまたはホームシアターシステムのユーザは、関連のケーブルによる、そのようなシステム背後での絡まりおよび散らかりを認識している。
【０００３】
電気配線を引き回し、隠す手段は技術分野で周知である。さらに、オフィスワークステーションのケーブルを整理する手段も公知である。カナダ特許第２，０００，２１１号に示されるように、電気機器のワイヤ、コードおよびケーブルを隠すためのハウジングを備えるワイヤ管理アセンブリが開示されている。ハウジングは、ワイヤが通る開口を有する。ハウジングは、ワイヤへのアクセスを許すように取外し可能なオプションのカバーも有する。安全性と美観のためにオフィス環境でこのアセンブリを用いることが可能である。
【０００４】
「ケーブルマネージャ（"Cable Manager"）」と題されたカナダ特許第４３０，０３９号は、電気および電話ケーブルを隠すためのケーブルマネージャを記載する。ケーブルマネージャは、基部ハウジング部と上部閉止部からなる。上部閉止は、ハウジングの内部へのアクセスを許すようにヒンジ接続される。ハウジングは、電気配線のための出入口スペースを含む。
【０００５】
「コンピュータケーブル管理システム（"Computer Cable Management System"）」と題された米国特許第５，２８６，９１９号は、コンピュータシステムと関連付けられる通信または電力ケーブルを管理するためのシステムを開示する。このシステムは、ケーブルを縦横に引き回し、収納する筐体からなる。筐体は、その内部へのアクセスを与えるドアで囲まれる。
【０００６】
カナダ特許第４８５，９７１号は、電子装置用の筐体を開示する。電子装置は筐体内に収納され、そのような装置の配線は開口を含む周囲パネルを通される。次にワイヤは整理された態様で筐体の上部または底部のいずれかを通る。筐体の後部ドアが閉止位置にあるときはワイヤは見えなくなる。
【０００７】
米国特許第６，３５９，２１７号は、後部壁、側壁、上部壁および底部壁を含む筐体を教示する。筐体は、その前方に取り付けられる、オプションのヒンジ接続されたドアを有し得る。トンプソン他（Thompson et al.）は、筐体の重要な特徴は、筐体がその入口ポイントを通して電気／データ導管を受けることができ、次に筐体を通して電気／データ導管を引き回すことができ、これを筐体内の電源盤上に位置するポートに接続することができることであると説明している。筐体の側部に位置する電源盤は、電気／ネットワークコンポーネントからの配線を受けるように用いられ得る。この電源盤は容易に移動させることができ、側壁に沿っていずれの場所に位置決めすることもできる。
【０００８】
米国特許第６，２０９，９７４号は、娯楽設備のケーブルを整理し、導くための後部柱を記載する。この柱は、テレビから他の電子装置へ、およびそれら電子装置から電源へワイヤが通ることができるように、開口を含む。テレビから補助電子装置に通るケーブルは
見えなくなる。
【０００９】
米国特許第６，４１５，７２３号は、テーブル面に装着されたワイヤ管理構造を備える折畳みテーブルまたは机を教示する。この構造は、開いたまたは閉じた位置に置くことができる前パネルを有する。テーブル面は、ワイヤまたはケーブルが通る開口を含む。次にワイヤはワイヤ管理構造の中に入り、その中でコンセントに差し込まれ得る。
【発明の開示】
【発明が解決しようとする課題】
【００１０】
公知の技術では、上述のように、開口を介してケーブルが出入りできるようにする、ハウジングまたは筐体からなるシステムが存在する。一旦ハウジングまたは筐体に入ると配線は見えなくなる。公知の技術は、筐体またはハウジング内に固定された電源を含んでおらず、従ってただ１本の電力ケーブルが筐体の外に出るのも考慮していない。さらに、公知の技術は、周囲の家具と一体化するまたは溶け込むように設計された、見た目がよい格納装置を提供していない。
【課題を解決するための手段】
【００１１】
発明の概要
本発明の目的は、電力ケーブルを接続し得る電源手段を提供しながら、見えないようにかつ整理された態様で、コンピュータシステムなどと関連付けられるケーブルの引き回しおよび収納を可能にする装置を提供することである。
【００１２】
本発明の別の目的は、電力ケーブルを接続し得る電源手段を提供し、かつ典型的に存在するケーブルの見苦しいグループ分けをなくし、関連のつまづいてしまう危険性またはコンピュータシステムのユーザの足がケーブルに絡まってしまう恐れを取り除きながら、見えないようにかつ整理された態様で、コンピュータシステムなどと関連付けられるケーブルの引き回しおよび収納を可能にする装置を提供することである。
【００１３】
本発明のその他の目的および利点は、添付の図面を適宜参照して、本明細書に提供される詳細な説明を注意深く読むことにより明らかになるであろう。
【００１４】
本発明の１つの局面に従うと、電気ケーブルを整理するように適合される筐体であって、実質的に平らな表面上で筐体を支持するための基部と、後パネルと、上パネルと、対向して配置される側パネルと、前パネルとを備え、後、上、前および側パネルは筐体の内部を囲むように配置され、筐体はさらに電源手段を備え、前パネルは筐体の内部へのアクセスを許す開口を含み、開口は、開口を閉じるように適合されるドアを含み、上および側パネルの各々は、電気ケーブルが通り得る複数の開口を含む平らな表面を含み、電源手段は、１本の電力ケーブルのみが筐体の外へ通って、通電コンセントに差し込まれる必要があるように適合される、筐体が提供される。電源手段は、たとえば、棒状の電源（power bar）であり、これは、筐体内部に固定されてもまたは取外し可能でもよく、有利には、電源手段は、付加的な装置が様々な構成で効率的に配置されかつ位置することができるように、基部または前、側もしくは後パネル上に位置する。規制基準を確実に満たすために、筐体の構成は、囲まれた機器に十分な通気を与える。筐体は、有利には、高さ約２フィート、長さ２フィート、幅５インチの寸法で構成される。開口の大部分は、有利には、直径約１．５インチの寸法であり、端部の１つの大きい方の開口の直径は約２．５インチであるように構成される。
【００１５】
本発明の第２の局面に従うと、電気ケーブルを整理するように適合される筐体を備える机であって、実質的に平らな表面上で筐体を支持するための基部と、後パネルと、上パネルと、対向して配置される側パネルと、前パネルとを備え、後、上、前および側パネルは
筐体の内部を囲むように配置され、さらに電源手段を備え、前パネルは筐体の内部へのアクセスを許す開口を含み、開口は、開口を閉じるように適合されるドアを含み、上および側パネルの各々は、電気ケーブルが通り得る複数の開口を含む平らな表面を含み、電源手段は、１本の電力ケーブルのみが筐体の外へ通って、通電コンセントに差し込まれる必要があるように適合される、机が提供される。
【００１６】
本発明の好ましい実施例が添付の図面を参照して説明される。
【発明を実施するための最良の形態】
【００１７】
図面の詳細な説明
図１に示されるように、本発明に従う筐体は基部２を含み、その上に、前パネル３、後パネル１、左パネル１２、および右パネル４が上向きに延在し、すべて上パネル５に接合する。この構成では、基部２、前パネル３、後パネル１、左パネル１２、右パネル４、および上パネル５が筐体内の３次元空間を囲む。
【００１８】
前パネル３は、ドア左パネル８およびドア右パネル１３を有する開口を含み、ドアパネルは、筐体の中身を配置するために開かれたり、中身を隠すために後に閉じられたりし得る。
【００１９】
筐体内には、基部２上に電源手段７が装着される。電源手段７は複数のポートを含み、その中に電力コードの雄側端を挿入し得る。単一の電力コード９は側パネル４のポート１４を通って、外部通電コンセントに差し込まれる。電源手段７は固定されるか、または取外し可能であり、これに代えて、付加的な装置が様々な構成で効率的に配置されかつ位置することができるように、前パネル、側パネルまたは後パネル上に位置することが可能である。たとえば、電源手段７は、（図１に示されるように）基部２の一方側に配設される棒状の電源であってもよく、これにより、所望により第２の棒状の電源を含んだり、モデム、変圧器、またはその他の機器が存在したりすることが可能になる。
【００２０】
左側パネル４、右側パネル１２、および上パネル５は複数のポート６を含み、その中を通って電気ケーブルは筐体の内外へ通り得る。これらのポートは、使用されない場合の閉止手段を含み得る。ポート６は、有利には、直径約１．５インチの寸法であり、オプションで、端部の１つの大きい方の開口の直径が約２．５インチであるように構成される。
【００２１】
図２は、開いたポート１５および閉じたポート１６を示す、図１に示されるような筐体の断面図である。示されるような円形のポートは、第１の固定半円部分および第２の回転可能半円部分を含むカバーを含む。回転された半円部分が固定半円部分と完全に対応するように配置されると、カバーは開放位置にあるといえる。回転された半円部分が固定半円部分と全く反対に配置されると、カバーは閉止位置にあるといえる。Ｃ．Ｓ．ＡおよびＵ．Ｌ．基準などの規制基準を確実に満たすために、筐体の構成は、囲まれた機器に十分な通気を与える。
【００２２】
図３は、本発明の筐体が机の一部として配置される、本発明の第２の実施例を示す。示されるように、筐体の前パネル３は、机の中央部分の後部近くに存在する。コンピュータモニタ、キーボード、マウスなどからのケーブルは、机１１の上面を通って筐体の内部に通り得る。図３には、各々閉じた位置にあるドア左パネル８およびドア右パネル１３も示される。電源手段７は筐体の内部に示される。コンピュータモニタ、キーボード、マウスなどからのケーブルは、机１１の上面を通って筐体の内部に通り、筐体の側部から机の側部１０へ出て行く。この側部１０の中には、コンピュータの中央処理装置が見られ、ケーブルはコンピュータの中央処理装置に接続され得る。
【００２３】
図４は、図３に示される机の上面図である。示されるように、筐体の上パネル４は机１１の上面の一部を形成する。複数のポート６は上パネル４に埋め込まれ、ケーブルが通って筐体の中に入るのを許す。単一の電力コード９は電源手段に接続され、机の後パネルを通って通電コンセントに挿入される。
【００２４】
本発明は好ましい実施例を特に参照して説明されたが、保護が求められる範囲は、添付のクレームの範囲によってのみ限定されるものである。
【産業上の利用可能性】
【００２５】
本明細書に教示される装置は、一般的に、コンピュータケーブルなどを整理するため、より特定的には、内蔵型電源を含み、かつ既存の事務用什器の一部として形成され得る、ケーブル引き回しおよび収納用筐体のための改良された手段を提供する。
【図面の簡単な説明】
【００２６】
【図１】本発明のケーブル整理器の第１の実施例の斜視側面図である。
【図２】図１に示されるようなケーブル整理器の断面図である。
【図３】本発明のケーブル整理器の第２の実施例の正面図である。
【図４】図３に示されるようなケーブル整理器の上面図である。
【図１】
2007523474.tif 000003
【図２】
2007523474.tif 000004
【図３】
2007523474.tif 000005
【図４】
2007523474.tif 000006
【国際調査報告】
2007523474.tif 000007
2007523474.tif 000008
2007523474.tif 000009